(57)【要約】【課題】  左右方向に複数並設された主シート体の閉鎖で防火区画を形成する防火シャッターにおいて、隣接する主シート体側縁部同士のあいだの隙間を塞ぐ補助シート体のあいだにロックピンとロック孔が形成される受けプレートとを設けたものにおいて、ロックピンのロック孔への嵌入が確実になるように構成する。【解決手段】  主シート体２に設けられる受けプレートユニット１２を、第一、第二固定プレート１４、１５と、位置調整プレート１６と、受けプレート１７とで構成し、受けプレート１７を、第一、第二固定プレート１４、１５に対して位置調整自在な位置調整プレート１６とのあいだに、位置調整バネ１８を介して設ける構成とし、主シート体２に対し少なくとも開閉方向に移動自在となる構成とする。【選択図】        図４
2006328691.tif 000002
【特許請求の範囲】
【請求項１】
左右方向に複数並設された主シート体の閉鎖で防火区画を形成する防火シャッターにおいて、隣接する主シート体側縁部同士のあいだの隙間を、主シート体側縁部に重合状に配される補助シート体により覆蓋する構成とするとともに、両シート体の同期する閉鎖作動に伴い、これらシート体同士のあいだに設けた係止部と係止受け部とが係合して、両シート体の重合状態を保持する構成とするにあたり、前記係止部と係止受け部との少なくとも一方は、シート体のシート面に沿って移動自在に設けられている防火シートシャッター。
【請求項２】
請求項１において、係止部は一方のシート体に設けたロックピンとする一方、係止受け部は他方のシート体に設けた受けプレートに開設され前記ロックピンが嵌入するロック孔とし、前記受けプレートは、シート体のシート面に沿って移動自在に設けられている防火シートシャッター。
【請求項３】
請求項２において、受けプレートは、シート体に一体的に固定される固定プレートに位置調整バネを介して設けられ、位置調整バネの弾性変形に基づいて固定プレートに対して移動自在となるように構成されている防火シートシャッター。
【請求項４】
請求項３において、位置調整バネは、線状のバネ鋼材を折曲し、受けプレートに連結し受けプレートの荷重を受ける取り付け部と、該取り付け部から延出する一対の腕部とを備えて構成されており、前記腕部が固定プレートに連結され、腕部の弾性変形に基づいて受けプレートが移動自在となるように構成されている防火シートシャッター。
【請求項５】
請求項３または４の何れか一項において、受けプレートは、固定プレートとのあいだに位置調整プレートを介して設けられ、固定プレートに対する位置調整プレートによる位置調整ができ、該位置調整プレートに対する位置調整バネによる移動ができるように構成されている防火シートシャッター。
【請求項６】
請求項２乃至５の何れか一項において、ロックピンは、高温に伴う変形で拡開してロック孔に係止する第一、第二ピン先部を備えて構成され、第一ピン先部は、第二ピン先部に形成された突片により先端面が覆われるように構成されている防火シートシャッター。
【請求項７】
請求項６において、第二ピン先部の突片は、ピン先側ほど先細形状に形成されている防火シートシャッター。
【請求項８】
請求項６または７の何れか一項において、第二ピン先部は、第一ピン先部を内包するように形成されている防火シートシャッター。
【発明の詳細な説明】
【技術分野】
【０００１】
本発明は、開口部に防火区画を形成するための防火シートシャッターであって、特に、大開口を閉鎖する防火シートシャッターの技術分野に属するものである。
【背景技術】
【０００２】
一般に、建築物の開口部あるいは建築物内の区画域への出入り口部に設けられる防火シートシャッターは、火災発生時に開口部や出入り口部を耐火性のシート材で構成されたシート体（主シート体に相当する）で閉鎖することで防火区画を形成し、火災による高温の空気や煙が、他区画とのあいだで流通するのを防止するものであるが、開口部あるいは出入り口部が大開口である場合、大開口の左右幅に相当するべく分割したシート体を複数枚備えたシートシャッターとし、これらのシート体を同期させる状態で閉鎖する構成としたものがある。このようにした場合、隣接するシート体の側縁部のあいだには隙間が形成され、該隙間から火や煙が漏れでてしまうため、これらシートシャッターのあいだに、隣接するシート体の側縁部に重合する左右幅を有した補助シート体を備えた補助シートシャッターを設け、該補助シート体をシート体に同期させて閉鎖させる構成とし、かつ、該閉鎖時に、シート体側縁部と補助シートとの対面部に設けた面ファスナにより、これらの重合状態が保持されるように構成し、シート体同士のあいだに隙間が形成されないようにしたものが提唱されている。しかるに、このものでは、高温になった場合に、樹脂製の面ファスナが溶融してシート体同士を重合する機能が失われ、シート体側縁部間に隙間が形成されてしまうという問題がある。
【０００３】
この改善策として、主シート体側縁部と補助シート体との対面部間に、面ファスナの他に、補助シート体側にロックピンを、主シート体側にロックピンが嵌入するロック孔が複数形成された受けプレートを、それぞれ上下方向複数箇所において設け、両シート体同士を同期させて閉鎖する過程で、面ファスナの接着とともに、ロックピンを受けプレートのロック孔に嵌入させるよう構成し、所定の高温になった場合では、ロックピンが変形してロック孔に係止し、シート体同士の重合状態を保持するように構成することが提唱される。
【特許文献１】特開２００２−１４７１４２
【発明の開示】
【発明が解決しようとする課題】
【０００４】
ところで、前記従来のものにおいて、ロックピンは受けプレートに形成された複数のロック孔のうちの何れか一つの孔に嵌入すればよい構成となっているが、主シート体と補助シート体との閉鎖状態にズレが生じ、ロックピンのピン先が受けプレートのロック孔に嵌入することができず、ロック孔から逸れてしまい、プレート面に突き当たってしまうようなことが想定される。しかるに、前記従来のものは、ロックピンと受けプレートとがそれぞれシート体に対して固定状に設けられているので、シート体同士にズレが生じたような場合では、ロックピンのロック孔への嵌入ができない惧れがあって問題があり、ここに本発明の解決すべき課題がある。
【課題を解決するための手段】
【０００５】
本発明は、上記の如き実情に鑑みこれらの課題を解決することを目的として創作されたものであって、請求項１の発明は、左右方向に複数並設された主シート体の閉鎖で防火区画を形成する防火シャッターにおいて、隣接する主シート体側縁部同士のあいだの隙間を、主シート体側縁部に重合状に配される補助シート体により覆蓋する構成とするとともに、両シート体の同期する閉鎖作動に伴い、これらシート体同士のあいだに設けた係止部と係止受け部とが係合して、両シート体の重合状態を保持する構成とするにあたり、前記係止部と係止受け部との少なくとも一方は、シート体のシート面に沿って移動自在に設けられているものである。
請求項２の発明は、請求項１において、係止部は一方のシート体に設けたロックピンとする一方、係止受け部は他方のシート体に設けた受けプレートに開設され前記ロックピンが嵌入するロック孔とし、前記受けプレートは、シート体のシート面に沿って移動自在に設けられているものである。
請求項３の発明は、請求項２において、受けプレートは、シート体に一体的に固定される固定プレートに位置調整バネを介して設けられ、位置調整バネの弾性変形に基づいて固定プレートに対して移動自在となるように構成されているものである。
請求項４の発明は、請求項３において、位置調整バネは、線状のバネ鋼材を折曲し、受けプレートに連結し受けプレートの荷重を受ける取り付け部と、該取り付け部から延出する一対の腕部とを備えて構成されており、前記腕部が固定プレートに連結され、腕部の弾性変形に基づいて受けプレートが移動自在となるように構成されているものである。
請求項５の発明は、請求項３または４の何れか一項において、受けプレートは、固定プレートとのあいだに位置調整プレートを介して設けられ、固定プレートに対する位置調整プレートによる位置調整ができ、該位置調整プレートに対する位置調整バネによる移動ができるように構成されているものである。
請求項６の発明は、請求項２乃至５の何れか一項において、ロックピンは、高温に伴う変形で拡開してロック孔に係止する第一、第二ピン先部を備えて構成され、第一ピン先部は、第二ピン先部に形成された突片により先端面が覆われるように構成されているものである。
請求項７の発明は、請求項６において、第二ピン先部の突片は、ピン先側ほど先細形状に形成されているものである。
請求項８の発明は、請求項６または７の何れか一項において、第二ピン先部は、第一ピン先部を内包するように形成されているものである。
【発明の効果】
【０００６】
請求項１の発明とすることにより、係止部と係止受け部との係止作動が確実になって、信頼性の高い防火シートシャッターとすることができる。
請求項２の発明とすることにより、ロックピンとロック孔との嵌入作動が確実になって、信頼性の高い防火シートシャッターとすることができる。
請求項３または４の発明とすることにより、受けプレートをコンパクトに構成できて構成の簡略化が図れ、しかも、軽量、安価にすることができる。
請求項５の発明とすることにより、受けプレートとロックピンとの位置合せが容易で、かつ、ロックピンのロック孔への嵌入が確実になる。
請求項６の発明とすることにより、高温になることで拡開するよう構成されたロックピンでありながら、変形前ではロック孔への嵌入が円滑、かつ、容易に行える。
請求項７の発明とすることにより、ロックピンの先端部が先端先細形状になっているため、ロック孔への嵌入が一層確実、かつ、円滑になる。
請求項８の発明とすることにより、ロックピンのロック孔への嵌入、抜出作動が一層確実になる。
【発明を実施するための最良の形態】
【０００７】
つぎに、本発明の実施の形態について、図面に基づいて説明する。
図面において、１は大開口に設けられた防火シートシャッターであって、該防火シートシャッター１は、耐火性（遮炎性）のシート材からなる複数の主シート体２を備えて構成されており、これら各主シート体２は、上端縁部が大開口の上部躯体に配される複数の主巻き取りシャフト３にそれぞれ連結され、該主巻き取りシャフト３が正逆回転することに基づいて、主シート体２が巻き取りシャフト３に巻き取られ大開口を開放する開放姿勢から、巻き取りシャフト３から巻き出されて大開口を閉鎖する閉鎖姿勢とのあいだを開閉作動するように設定されている。このとき、大開口の左右端部に位置する主シート体２は、躯体側の側縁部が躯体に沿って立設されたガイドレール４の移動案内を受けるように構成されている。
尚、主巻き取りシャフト３は、躯体上方に配された電動開閉機３ａの正逆駆動に伴い開閉駆動をするように設定されるものであり、主シート体２のシート面に対し、前後方向一方（図１において後方）に変位して配されている。
そして、隣接する主シート体２同士の近接する側縁部２ａには、前後方向一方の面（前面）において、上下方向に長い面ファスナを構成する一方の面ファスナ部材５ａの二本が、左右方向所定の間隙を存し縫製等の固定手段により固着されている。
【０００８】
一方、６は隣接する主シート体２のあいだに配され、隣接する主シート体側縁部２ａの両者に対面する左右幅を存して形成された補助シート体６であって、該補助シート体６は、主シート体２と同様に耐火性（遮炎性）のシート材を用いて形成されており、補助シート体６の下端部は、主シート体２の下端部に配される座板２ｂに一体的に連結され、上端縁部は、大開口の上部躯体に配される複数の補助巻き取りシャフト７にそれぞれ連結されている。尚、左右方向複数設けられる主シート体２と補助シート体６とは、全てのものが左右方向に長い座板２ｂに連結されている。
そして、前記補助巻き取りシャフト７は、巻き取り方向に付勢されたバランスバネ７ａが内装されており、補助シート体６は、主シート体２の閉鎖作動では座板２ｂに引っ張られる状態となり、補助巻き取りシャフト７のバランスバネ７ａに抗して巻き取りシャフト７から巻き出され、主シート体２の開放作動では、補助巻き取りシャフト７のバランスバネ７ａの付勢力を受けて補助巻き取りシャフト７に巻き取られ、もって、主シート体２と同期した開閉作動をするように構成されている。
また、補助シート体６の主シート体側縁部２ａとの対向面である前後方向他方の面（後面）の左右には、各シート体側縁部２ａに配されたそれぞれ二本の面ファスナ部材５ａに押圧状に当接することで一体化する各二本の面ファスナ部材５ｂが縫製等の固定手段により固着されている。
【０００９】
ここで、補助巻き取りシャフト７は、両シート体２、６による閉鎖位置（シート面）に対して前方に変位して設けられており、前述したように、主巻き取りシャフト３とは、前記シート面を基準として前後方向反対側に位置ズレして設けられているが、これら主、補助巻き取りシャフト３、７は、ともに大開口の上部躯体に配されたケース体８に収容されており、各巻取りシャフト３、７から繰り出されたそれぞれのシート体２、６は、ケース体８の下方に形成されたシート繰り出し口８ａから繰り出されることになるが、隣接する主巻取りシャフト３の端部同士とシート繰り出し口８ａとのあいだには第一誘導ローラ９が設けられ、そして、補助巻き取りシャフト７とシート繰り出し口８ａとのあいだには、第一誘導ローラ９の上下に位置する状態で第二、第三誘導誘導ローラ１０、１１がそれぞれ設けられている。そして、主、補助シート体２、６が同期して閉鎖作動する場合に、主シート体２と補助シート体６とはシート繰り出し口８ａの近傍でＳ字状の移動軌跡となって誘導されることにより、それぞれの対向面に設けられた面ファスナ部材５ａ、５ｂ同士が押圧状に当接する状態でシート繰り出し口８ａから大開口に繰り出され、面ファスナ部材５ａ、５ｂ同士の確実な一体化がなされるように設定されている。これによって、主シート体２同士のあいだに補助シート体６が面ファスナ５により固定され、主、補助シート体２、６同士が重合した状態となって閉鎖作動し、隙間のない状態で大開口を閉鎖することができるように設定されている。
【００１０】
さらに、主シート体側縁部２ａと補助シート体６との対向部間（対向面間）であって、二本の面ファスナ部材５ａ、５ｂの左右方向中間部には、所定の高温に達することで両シート間の重合状態を保持するためのロック手段が設けられている。そして、前記ロック手段は、主シート体２側に設けられる上下方向複数の受けプレートユニット（本発明の係止受け部に相当する）１２と、該受けプレートユニット１２に対向する部位に位置して補助シート体６側に設けられる上下方向複数のロックピンユニット（本発明の係止部に相当する）１３とを備えて構成されている。
【００１１】
前記受けプレートユニット１２は、主シート体２の後面側からあてがわれる第一固定プレート１４と表面側からあてがわれる第二固定プレート１５とを備えて構成されている。前記第一固定プレート１４は、前面側に突出形成された爪部１４ａを主シート体２の前面側に貫通せしめ、該爪部１４ａを、前記第二固定プレート１５の両側部に開設された支持孔１５ａに挿通させ、該挿通先端部を折曲することで、第一、第二固定プレート１４、１５が主シート体２に対して一体的に固定されている。尚、第二固定プレート１５（本発明の固定プレートに相当する）には、前方に切り起こされた切り起し先端部を上方に向けて折曲した係止片部１５ｂが左右方向に三個形成されており、左右に位置する係止片部１５ｂには螺子溝１５ｃが刻設されている。
【００１２】
一方、１６は本発明の位置調整プレートであって、該位置調整プレート１６のプレート面１６ａには、前記第二固定プレート１５の係止片部１５ｂに係止するための複数の係止孔１６ｂが、左右方向に五列、上下方向に三段にわたる都合１５個のものが形成され、該プレート面１６ａの左右両側にそれぞれ保持片部１６ｄが形成されている。そして、前記係止孔１６ｂのうち、左右方向に並ぶ任意の三つの係止孔１６ｂの上片部を、第二固定プレート１５の三つの係止片部１５ｂに吊持状に係止させることで、位置調整プレート１６は、第二固定プレート１５に対し左右方向および上下方向の位置調整がなされた（位置調整自在）状態で係止させることができるように設定されている。尚、位置調整プレート１６の第二固定プレート１５への固定は、位置調整プレート１６のプレート面１６ａの前方に積層する係止片部１５ｂの螺子溝１５ｃに螺子１５ｄを螺合し、該螺子１５ｄの螺合先端部を、位置調整プレート１６の各係止孔１６ｂの上部に形成された小径孔１６ｃに貫通させることで、位置調整プレート１６の上下方向、および、左右方向の抜け止めがなされた状態での固定ができるように設定されている。
そして、位置調整プレート１６の左右の保持片部１６ｄは、上下一対の支持柱１６ｅが前方に突出する状態で一体的に設けられている。
【００１３】
１７は、位置調整プレート保持片部１６ｄに設けられた支持柱１６ｅを介して位置調整プレート１６に連結される本発明の受けプレートであって、該受けプレート１７のプレート面１７ａには、網目状にカットすることで上下方向、左右方向に複数のロック孔１７ｂが形成され、ここに、ロックピンユニット１３のピン本体１３ａが係合（嵌入）するように設定されている。さらに、プレート面１７ａの四周には、前後方向を向く側片部１７ｃが延設されており、これら側片部１７ｃのうち、左右の側片部１７ｃに、左右方向外方に延出する取り付け片部１７ｄが延設されている。ここで、取り付け片部１７ｄの面位置は、プレート面１７ａの面位置よりも後方に変位して形成されているが、取り付け片部１７ｄとプレート面１７ａとのあいだの側片部１７ｃの前後方向長さは、前記ロックピンユニット１３に設けられるピン本体１３ａの突出長さよりも僅かに長く設定されていて、主シート体２と補助シート体６とが当接して重合状に閉鎖され、ピン本体１３ａがロック孔１７ｂに嵌入したとき、ピン本体１３ａの先端が位置調整プレート１６のプレート面１６ａに達しないように設定されている。
さらに、前記取り付け片部１７ｄには、位置調整プレート１６の四つの支持柱１６ｅをそれぞれ移動自在に貫通する四個の長孔１７ｅがそれぞれ上下方向に二個づつ形成されているが、これら長孔１７ｅは、支持柱１６ｅを、上下方向および左右方向に所定のストロークで移動可能とする大きさに設定されており、受けプレート１７は、位置調整プレート１６に対し前記長孔１７ｅ内における支持柱１６ｅの移動ストローク分（移動範囲）だけの移動ができるように構成されている。そして、各支持柱１６ｅの受けプレート長孔１７ｅを貫通した先端部にはストッパ部材１６ｆが一体的に設けられ、位置調整プレート支持柱１６ｅが受けプレート１７の長孔１７ｅから抜け出してしまうことがないように構成されている。
【００１４】
１８は、位置調整プレート１６と受けプレート１７とのあいだに介装される位置調整バネであって、該位置調整バネ１８は、線状（ワイヤ状）のバネ鋼材を略Ｌ字形に折曲して形成されており、左右一対の腕片１８ａと、両腕片１８ａのあいだの折曲部となる取り付け部１８ｂとで構成されている。そして、位置調整バネ１８の取り付け部１８ｂを、受けプレート１７の上側片部１７ｃの内側面に突き当てて固定することで位置調整バネ１８の受けプレート１７への固定がなされており、左右一対の腕片１８ａは、受けプレート１７の左右の側片部１７ｃに開設された貫通孔１７ｆから左右方向外方に延出し、該延出先端部にリング状に折り返し折曲されたリング部１８ｃが形成されており、該リング部１８ｃが、受けプレート１７の長孔１７ｅに抜け止め状に貫通している位置調整プレート１６の上側に位置する左右の支持柱１６ｅにそれぞれ遊嵌状に外嵌されている。このとき、位置調整バネ１８の貫通孔１７ｆから外部に延出する腕部１８ａは、受けプレート１７の貫通孔１７ｆ内を上下方向移動自在に遊嵌しており、該外部に延出した腕部１８ａおよびリング部１８ｃとは、受けプレート取り付け片部１７ｄの前面とストッパ部材１６ｆとのあいだに位置し、受けプレート１７（取り付け片部１７ｄ）に対して移動自在（摺動自在）となっている。
尚、受けプレートユニット１２は、図９（Ａ）に示すように第一、第二固定プレート１４、１５を主シート体２に固定する一方、図９（Ｂ）に示すように位置調整プレート１６と受けプレート１７とを位置調整バネ１８を介装する状態で連結し、この位置調整プレート１６と受けプレート１７との組み込み部材を、位置調整した状態で第二固定プレート１５に組み込むことで装着される構成となっており、位置調整プレート１６を第二固定プレート１５に抜け止め状に支持するための螺子１５ｄの螺合は、受けプレート１７のロック孔１７ｂを介して行うように構成されている。
【００１５】
そして、受けプレートユニット１２を主シート体２に取り付けた状態における位置調整バネ１８の自然状態では、位置調整バネ１８には、取り付け部１８ｂを介して受けプレート１７の全荷重（自重）が作用するように設定され、具体的には、位置調整プレート１６の支持柱１６ｅに吊持される両腕部１８ａのリング部１８ｃに作用しており、もって、受けプレート１７が位置調整バネ１８を介して位置調整プレート１６に吊持される状態となっている。このとき、腕部１８ａは、付勢力に抗して上動した状態となっており、この状態における受けプレート１７と位置調整プレート１６との位置関係は、図４、９（Ｂ）に示すように、長孔１７ｅの上下、左右の両方向における略中央に支持柱１６ｅが位置する状態となっている。そして、この状態において、受けプレート１７に負荷が作用した場合では、受けプレート１７は、位置調整バネ１８の腕部１８ａが弾性変形することに基づいて位置調整プレート１６に対して移動（変位）するが、該移動は、長孔１７ｅの孔形状の範囲内において、上下方向（開閉方向）だけでなく、左右方向を含むプレート面（主シート体６のシート面）に沿う二次元方向における全方向に移動することができるように設定されている。
【００１６】
一方、ロックピンユニット１３は、補助シート体６の左右側部であって、二本の面ファスナ部材５ｂのあいだに、前記受けプレートユニット１２の対向部位に位置する状態で上下方向に複数設けられている。前記ロックピンユニット１３を構成する折曲プレート体１９は、所定の高温になったときに、所定の折曲位置において所定の角度θ（本実施の形態では９０度以下）になるように折曲する形状記憶合金製の長尺状（長板状）体により構成されており、前記折曲プレート体１９の折曲位置の両端部には、前記ピン本体１３ａを構成する第一、第二ピン先部２０、２１の固定片部２０ａ、２１ａがそれぞれ一体的に固定されている。さらに、第一ピン先部２０が取り付けられる側の折曲プレート体１９には、前後一対の第一支持プレート２２、２２ａが一体的に固定され、第二ピン先部２１が取り付けられる側の折曲プレート体１９には前後一対の第二支持プレート２３、２３ａが一体的に固定された状態でロックピンユニット１３に構成されている。
そして、これらロックピンユニット１３は、補助シート６の前後面にそれぞれ宛てがわれるベース用シート２４、２４ａを介して、補助シート体６に一体的に固着されている。因みに、これらベース用シート体２４、２４ａは、ロックピンユニット１３の補助シート体６への取り付け部を覆うために設けられるが、ベース用シート２４は、補助シート体６のロックピンユニット１３配設部位に位置して上下方向略全長にわたって設けられ、これによって、補助シート体６を補助巻き取りシャフト７に巻装したとき、ピン本体１３ａの先端から補助シート体６を保護する構成となっている。
【００１７】
そして、前記第一、第二ピン先部２０、２１には、固定片部２０ａ、２１ａ（折曲プレート体１９）に対し９０度の角度を存して後方（主シート体２側）に突出する第一、第二ピン先本体２０ｂ、２１ｂ（ピン本体１３ａ）が形成され、これら第一、第二ピン先本体２０ｂ、２１ｂは、左右方向に近接して形成されている。そして、第一ピン先本体２０ｂは、前後方向を向く板状体２０ｃの上下端部に反第二ピン先本体２１ｂ側に延出する上下片部２０ｄが形成された正面視コ字形状のものに形成されている。一方、第二ピン先本体２１ｂは、第一ピン先本体２１ｂの板状体２０ｃに近接対向する板状体２１ｃと、第一ピン先本体２０ｂの上下片部２０ｄに上下方向外方から近接する上下片部２１ｄとを備え、第一ピン先本体２０ｂを外側部から包含する形状に形成されている。さらに、第二ピン先本体２１ｂには、板状体２１ｃの突出先端部に、第一ピン先本体２０ｂの先端面を覆う覆い部２１ｅが突出形成されており、前記上下片部２１ｄとともに第一ピン先部本体２０ｂを外側から包含し、ロック孔１７ｂに嵌入する場合に、第二ピン先部２１の覆い部２１ｅからロック孔１７ｂに嵌入することにより、第一、第二ピン先部２０、２１が一体のピン本体１３ａとなって嵌入するように設定され、第一、第二ピン先本体２０ｂ、２１ｂが分かれて（分岐して）しまうことがないように形成されている。さらに、覆い部２１ｅは山形状に形成されて先端先細形状の頂部２１ｆが突出形成されており、該頂部２１ｆに続く左右の傾斜面２１ｇが、後述するように、ロック孔１７ｂに嵌入するときのガイド面となるように構成されている。
そして、このように構成されたロックピンユニット１３は、通常の温度であって、折曲プレート体１９が直線形状をしている状態では、図１１（Ａ）、（Ｂ）に示すように、第二ピン先本体２１ｂが第一ピン先本体２０ｂを包含する一体化された状態となって一つのピン本体１３ａを構成しているが、所定の高温になって折曲プレート体１９が角度θに折曲すると、図１１（Ｃ）に示すように、第一、第二ピン先本体２０ｂ、２１ｂが拡開するように設定されている。
【００１８】
このように構成された防火シートシャッター１において、火災が発生すると、主シート体２と補助シート体６とが同期して閉鎖作動して大開口を閉鎖することになるが、この場合に、主巻き取りシャフト３から繰り出される主シート体２の隣接する側縁部２ａ同士は第一誘導ローラ９に誘導される状態で巻き出され、補助巻き取りシャフト７から繰り出される補助シート体６は第二、第三誘導ローラ１０、１１に誘導される状態で巻き出される。この場合に、第一誘導ローラ９と、シャッターケース８のシート繰り出し口８ａに近い第三誘導ローラ１１とは、図３に示すように、上下方向に僅かに積層する位置関係で設けられているため、主シート体２と補助シート体６とは、互いに当接した状態でＳ字形状の移動軌跡となってシート繰り出し口８ａから繰り出されることになり、これによって、主シート体２の側縁部２ａに設けられた左右一対の面ファスナ部材５ａと、補助シート体６の両側にそれぞれ設けられた左右一対の面ファスナ部材５ｂとの圧着が実現して、面ファスナ部材５ａ、５ｂ同士の確実な一体化（接着）がなされるように設定されている。
【００１９】
さらに、このシート体２、６の繰り出し（閉鎖作動）に際し、主シート体６に設けた受けプレートユニット１２が、補助シート体６に設けたロックピンユニット１３と対面し、ロック孔１７ｂに第一、第二ピン先部２０、２１が嵌入する。このとき、受けプレートユニット１２の受けプレート１７は、位置調整プレート１６（第一、第二固定プレート１４、１５）に対して上下方向、左右方向を含む、プレート面に沿う二次元方向の移動が自在に構成されており、ピン本体１３ａの先端（第一、第二ピン先部２０、２１の先端部となる覆い部２１ｅ）が、受けプレート１７のロック孔１７ｂ同士のあいだのプレート面１７ａに当接してしまったような場合であっても、覆い部２１ｅが受けプレート１７を押圧することに伴い受けプレート１７を適宜移動させ、覆い部２１ｅ（第一、第二ロックピン２０、２１）がロック孔１７ｃに嵌入するよう誘導されるように設定されている。さらに、覆い部２１ｅには、頂部２１ｆの左右に傾斜面２１ｇが形成されているため、これら傾斜面２１ｇがロック孔１７ｃへの嵌入をガイド、促進するようになり、これによって、第一、第二ピン先部２０、２１のロック孔１７ｂへの嵌入が一層確実、かつ、円滑になされるように構成されている。
そして、この状態において、火災による熱で所定の高温となった場合では、折曲プレート１９が角度θを存するように折曲することにより、ロック孔１７ｂに嵌入（係合）している第一、第二ピン先本体２０ｂ、２１ｂが拡開してロック孔１７ｂに係止し、これによって、ロック孔１７ｂからの抜け止めをして、主シート体２と補助シート体６との一体化が保持されて、隙間が形成されないように構成されている。
【００２０】
ここで、受けプレートユニット１２のロック孔１７ｂとロックピンユニット１３のピン本体１３ａとは、シート体２、６の閉鎖時に嵌入し、開放時に抜出するが、これらの作動は、第一、第二、第三誘導ローラ９、１０、１１の位置関係から、第一誘導ローラ９の近傍でなされている。この場合に、受けプレートユニット１２は、固定プレート１４取り付け側の面が第一誘導ローラ９に懸け回され、ロック孔１７ｂ形成面が外周側となる状態で主巻き取りシャフト３に誘導される構成であるうえ、第二誘導ローラ１０と第一誘導ローラ９とのあいだに、受けプレートユニット１２の上下方向長さよりも長い距離を存する位置関係に設定されていて、受けプレートユニット１２とロックピンユニット１３とが近接してピン本体１３ａがロック孔１７ｃに嵌入、抜出作動する状態では、ロックピンユニット１３が第二誘導ローラ９の誘導による回転をしないように設定されている。これによって、ピン本体１３ａが回転しながらロック孔１７ｃに対向するようなことがなく、嵌入、抜出作動が円滑となるように設定されている。
【００２１】
尚、主シート体２の上端縁部は主巻き取りシャフト３にそれぞれ連結されることになるが、主シート体２の上縁部は袋状に形成され、該袋状部に連結具２５が収納されている。前記連結具２５は、主巻き取りシャフト３の外周面に沿う円弧形状に形成された金属性板材で左右方向に長尺状に形成されており、図１４に示すように、周回り方向三箇所に左右一対の連結凹孔２５ａ、２５ｂ、２５ｃが形成されている。そして、連結具２５を覆う主シート体上縁部には、前記各連結凹孔２５ａ、２５ｂ、２５ｃに連通する貫通孔が開設されており、これら周回り方向に異なる三箇所の連結凹孔２５ａ、２５ｂ、２５ｃのうち、何れか一箇所の連結凹孔２５ａまたは２５ｂまたは２５ｃを用いて、主シート体２が主巻き取りシャフト３に連結されるように設定されている。これによって、巻き取りシャフト３に対する連結具２５の連結位置に基づいて主シート体２の上下方向長さが決定され、もって、個々の主シート体２をそれぞれ個別に長さ調整することができるように構成されている。
【００２２】
さらに、主シート体２の側縁部２ａには、対向する補助シート体６の側縁部を主シート体２とのあいだに挟み込むように折り曲げて、補助シート体６と主シート体２とのあいだに隙間が形成されないようにするための塞ぎ装置２６が設けられている。
前記塞ぎ装置２６を構成する塞ぎシート体２６ａは、前記主、補助シート体２、６と同様に耐火性シート材を用いて長尺状に形成され、一側縁部が、主シート体側縁部２ａの内側に配された面ファスナ部材５ａの内側部位の上下方向全域にわたり、縫製等の一体化手段により取り付けられている。そして、塞ぎシート体２６ａには、所定の高温に達することで平板状から所定の折曲位置において折曲するよう構成された変形用プレート２６ｂを備えた変形用プレートユニット２６ｃの複数が、上下方向に所定間隙を存し、ベースプレート２６ｄを介する状態で固定されている。そして、塞ぎ装置２６の塞ぎシート体２６ａは、図１５（Ｃ）に示すように、所定の高温になることで変形用プレート２６ｂの折曲に追随して折曲し、補助シート体６の側縁部を主シート体２とのあいだに挟み込む塞ぎ姿勢に変姿するように設定され、これによって、これらのあいだに隙間が形成されないように構成されている。
【００２３】
叙述の如く構成された本形態において、防火シートシャッター１は、火災時に、それぞれ複数の主、補助シート体２、６とが同期した状態で、それぞれの主、補助巻き取りシャフト３、７から巻き出されて、大開口を閉鎖する。このとき、隣接する主シート体側縁部２ａと、これに対向する補助シート体６との対向面間は、面ファスナ５ａ、５ｂによる一体化（接着）と、ロック手段（受けプレートユニット１２とロックピンユニット１３）による一体化（第一、第二ピン先部２０、２１のロック孔１７ｂへの嵌入）がなされた状態で閉鎖され、隣接する主シート体２のあいだに隙間が形成されてしまうようなことがない。しかも、高温になって面ファスナ部材５ａ、５ｂによる接着が機能しなくなったようなときでは、ロック孔１７ｂに嵌入しているロックピンユニット１３の一体化したピン本体１３ａである第一、第二ピン先本体２０ｂ、２１ｂが拡開し、ロック孔１７ｂに係止することで抜け止めがなされ、主シート体２と補助シート体６との重合が保持され、これらのあいだに隙間が形成されることがない。
そして、このものでは、ロック孔１７ｂが形成される受けプレート１７は、主シート体２に固定状に設けられる位置調整プレート１６（第一、第二固定プレート１４、１５）に対して、長孔１７ｅ内における少なくとも上下方向、さらには、左右方向を含むプレート面（シート面）に沿う二次元方向の移動が自在に構成されている。このため、例えば風圧により一方のシート体２または６が大きく撓んだ場合や、主、補助シート体２、６の巻き出しのタイミングがずれてしまったような場合に、受けプレートユニット１２（ロック孔１７ｂ）とロックピンユニット１３（第一、第二ピン先部２０、２１）とのあいだに位置ズレが生じ、ピン本体１３ａがロック孔１７ｂではなくロック孔１７ｂの孔縁である受けプレート１７のプレート面に突き当てられるような位置関係になったとしても、第一、第二ピン先部２０、２１に対して受けプレート１７が移動、即ち、第一、第二ピン先部２０、２１が受けプレート１７に対して相対移動することにより、ロック孔１７ｂに係合（嵌入）させることができる。この結果、両シート体２、６の閉鎖時に、第一、第二ピン先部２０、２１のロック孔１７ｂへの嵌入を確実にすることができ、高温時に第一、第二ピン先部２０、２１が拡開して係止孔１７ａに係止して主、補助シート体２、６の重合状態を保持する機能が損なわれることがなく、信頼性の高い防火シートシャッター１とすることができる。
【００２４】
さらに、このものにおいて、受けプレート１７の位置調整プレート１６に対する移動は、受けプレート１７の荷重を受けるように設けた位置調整バネ１８の腕部１８ａを位置調整プレート１６に吊持させるようにして連結し、前記腕部１８ａの弾性変形に基づいて受けプレート１７が移動する構成であり、位置調整バネ１８は、線状のバネ鋼材を折曲して形成されている。このため、位置調整バネ１８を極めてコンパクトに構成できるうえ、構成の簡略化が図れ、しかも、軽量、安価にすることができる。そのうえ、受けプレート１７に作用する負荷に伴い弾性変形したときに、前記負荷が消失することにより元位置に復帰することが容易であり、また、この場合に、腕部１８ａの弾性変形は、受けプレート１７に形成された長孔１７ｅの大きさに設定される範囲内の移動となるように規制される構成となっていて、受けプレート１７が不用意に移動し過ぎてしまうような不具合も確実に回避することができる。
【００２５】
また、このものでは、位置調整プレート１６を、第一、第二固定プレート１４、１５に対する位置調整ができる構成としたので、大開口の間口高さが大きくなって、両シート体２、６同士の寸法誤差が大きくなった場合や、防火シートシャッターの使用の過程で何れか一方のシート体２または６が延び、シート体２、６同士の位置ズレが大きくなってしまった場合に、ロック孔１７ｂから挿し込んだ治具を用いて螺子１５ｄを取り外し、受けプレート１７が組み込まれた状態の位置調整プレート１６を第一、第二固定プレート１４、１５から取り外し、改めて位置調整して別の係止孔１６ｂを介して第一、第二固定プレート１４、１５に係止させ、螺子１５ｄを螺合することで、受けプレート１７のシート体２に対する位置を簡単に位置を変えることが可能となる。この結果、受けプレート１７は、位置調整バネ１８による位置調整プレート１６に体する移動が可能なうえ、位置調整プレート１６によるシート体２に対する位置調整ができることになって、シート体２、６の閉鎖時における第一、第二ピン先部２０、２１のロック孔１７ｂへの嵌入作動を一層確実にすることができ、信頼性の一層の向上が図れる。
【００２６】
しかも、このものにおいて、ピン本体１３ａ（第一、第二ピン先部２０、２１）は、所定の高温になることにより拡開してロック孔１７ｂに係止する構成であるが、常温における第一、第二ピン先部２０、２１は、第二ピン先本体２１ｂを構成する板状体２１ｃの先端から第一ピン先部２０側に延出する覆い部２１ｅが形成され、第一ピン先本体２０ｂの先端面を覆う構成となっているので、ロック孔１７ｂに嵌入する際に、第一、第二ピン先部２０、２１が分離して別々のロック孔１７ｂに嵌入してしまうような不具合をなくすことができる。そのうえ、補助シート体２を補助巻き取りシャフト７に巻装した状態において、補助シート体６に対しては覆い部２１ｅが当接することになって、補助シート体６の保護を図ることができる。
【００２７】
さらに、このものでは、第二ピン先部２１の覆い部２１ｅに、山形状となって先端先細形状の頂部２１ｆが形成されているため、該頂部２１ｆの両側の傾斜面２１ｇにガイドされる状態で、第一、第二ピン先部２０、２１がロック孔１７ｂに誘導されることになって、ロック孔１７ｂへの嵌入が一層確実、かつ、円滑になる。
【００２８】
そのうえ、第二ピン先本体２１ｂには、覆い部２１ｅとともに、板状体２１ｃの上下側縁部から第一ピン先部２０側に延出する上下片部２１ｄが形成され、第一ピン先本体２０ｂの先端面および上下片部２０ｃを外側から包含して一体化された形状としているので、ロック孔１７ｂに嵌入する際に、第一、第二ピン先部２０、２１が分離して別々のロック孔１７ｂに嵌入してしまったり、一方はロック孔１７ｂに嵌入し、他方はロック孔１７ｂの孔縁に当接してしまうような不具合をさらに防止することができて、ロック孔１７ｂへの嵌入、抜出作動が一層確実に行える。
【図面の簡単な説明】
【００２９】
【図１】防火シートシャッターの一部切り欠き正面図である。
【図２】防火シートシャッターの一部断面側面図である。
【図３】防火シートシャッターの開放状態における一部断面側面図である。
【図４】図４（Ａ）、（Ｂ）、（Ｃ）はそれぞれ受けプレートユニットの平面図、正面図、側面図である。
【図５】図５（Ａ）、（Ｂ）、（Ｃ）はそれぞれ第一固定プレートの平面図、正面図、側面図である。
【図６】図６（Ａ）、（Ｂ）、（Ｃ）はそれぞれ第二固定プレートの平面図、正面図、側面図である。
【図７】図７（Ａ）、（Ｂ）、（Ｃ）はそれぞれ位置調整プレートの平面図、正面図、側面図である。
【図８】図８（Ａ）、（Ｂ）、（Ｃ）はそれぞれ受けプレートに位置調整バネを組み込んだ状態の平面図、正面図、側面図である。
【図９】図９（Ａ）、（Ｂ）はそれぞれ第一、第二固定プレートの組み込み状態における正面図、位置調整プレートと受けプレートと位置調整バネとの組み込み状態における正面図である。
【図１０】図１０（Ａ）、（Ｂ）はそれぞれ補助シート体の正面図、背面図である。
【図１１】図１１（Ａ）、（Ｂ）、（Ｃ）はそれぞれロックピンユニットの正面図、平面図、作用を説明する平面図である。
【図１２】ロックピンと受けプレートとの係止状態を説明する平面図である。
【図１３】主シート体側縁部と補助シート体との対向部間を説明する平面図である。
【図１４】図１４（Ａ）、（Ｂ）はそれぞれ主巻き取りシャフトに連結され主シート体を連結するための連結具の正面図、側面図である。
【図１５】図１５（Ａ）、（Ｂ）、（Ｃ）はそれぞれ塞ぎ装置の正面図、平面図、作用を説明する平面図である。
【符号の説明】
【００３０】
１    防火シートシャッター
２    主シート体
３    主巻き取りシャフト
６    補助シート体
７    補助巻き取りシャフト
９    第一誘導ローラ
１２    受けプレートユニット
１３    ロックピンユニット
１４    第一固定プレート
１６    位置調整プレート
１７    受けプレート
１８    位置調整バネ
１９    折曲プレート体
２０    第一ピン先部
【図１】
2006328691.tif 000003
【図２】
2006328691.tif 000004
【図３】
2006328691.tif 000005
【図４】
2006328691.tif 000006
【図５】
2006328691.tif 000007
【図６】
2006328691.tif 000008
【図７】
2006328691.tif 000009
【図８】
2006328691.tif 000010
【図９】
2006328691.tif 000011
【図１０】
2006328691.tif 000012
【図１１】
2006328691.tif 000013
【図１２】
2006328691.tif 000014
【図１３】
2006328691.tif 000015
【図１４】
2006328691.tif 000016
【図１５】
2006328691.tif 000017